(57)【要約】【課題】奥行き方向一対の支柱３どうしを連結部材５によって連結され、前記支柱３が、互いに対面する内側が開放した横断面形状である、ラックの側枠構造体１において、前記支柱３に開放断面のものを使用しながら、当該支柱３の内部に塵埃などの異物が侵入堆積するのを予防出来るようにする。【解決手段】支柱３の左右両側板部７ａ間に、この支柱３の開放端部７を塞ぐカバー８が取り付けられ、このカバー８は、支柱間の連結部材５が支柱３の内部に入り込む連結部材入り込み領域１３以外の領域において、この支柱３の左右両側板部７ａ間の開口端を塞ぐカバー本体９と、連結部材入り込み領域１３を支柱３の内側から囲む凹窪カバー部１０とで構成する。【選択図】図４
2018050661.tif 000002
【特許請求の範囲】
【請求項１】
奥行き方向一対の支柱どうしを連結部材によって連結して成るラックの側枠構造体であって、前記支柱が、互いに対面する内側が開放した横断面形状であり、前記連結部材の端部が前記支柱の左右両側板部間に入り込んだ状態で締結具により支柱に取り付けられている、ラックの側枠構造体において、前記支柱の左右両側板部間に、この支柱の開放端部を塞ぐカバーが取り付けられ、このカバーは、前記連結部材が前記支柱の内部に入り込む連結部材入り込み領域以外の領域において、この支柱の左右両側板部間の開口端を塞ぐカバー本体と、前記連結部材入り込み領域を支柱の内部側から囲む凹窪カバー部とで構成されている、ラックの側枠構造体。
【請求項２】
前記凹窪カバー部は、支柱の左右両側板部の内側に重なる左右両側板部と支柱の内部に位置する底板部とからなる溝形カバー材と、前記カバー本体の端につながる仕切り板部とから構成され、前記仕切り板部が、前記溝形カバー材内に入り込んで、当該溝形カバー材内の支柱長さ方向の端部を塞ぐように構成されている、請求項１に記載のラックの側枠構造体。
【請求項３】
前記支柱の左右両側板部には、その開放端側縁から左右外向きに張出し板部が折曲連設され、前記カバーの溝形カバー材には、その左右両側板部の開放端側縁から、前記支柱側の左右両張出し板部の外側に重なる張出し板部が折曲連設されている、請求項２に記載のラックの側枠構造体。
【請求項４】
前記凹窪カバー部は、前記連結部材入り込み領域の支柱長さ方向の端部を塞ぐ仕切り板部と、この仕切り板部に連なる底板部と、前記支柱の左右両側板部とから構成されている、請求項１に記載のラックの側枠構造体。
【請求項５】
前記支柱は、巾の広い支柱本体部と巾が狭まった開放端部とから成り、凹窪カバー部の前記底板部は、支柱の前記支柱本体部内に入り込み、当該底板部の左右両側辺からは、支柱の前記開放端部における左右両側板部の内側に達する折曲側板部が連設されている、請求項４に記載のラックの側枠構造体。
【請求項６】
前記凹窪カバー部は、支柱の左右両側板部間に嵌まり込む有底箱形部材で構成されている、請求項１に記載のラックの側枠構造体。
【請求項７】
前記カバー本体と前記凹窪カバー部とは、当該凹窪カバー部の支柱長さ方向両端の内の少なくとも一端において分割されている、請求項４〜６の何れか１項に記載のラックの側枠構造体。
【発明の詳細な説明】
【技術分野】
【０００１】
本発明は、奥行き方向一対の支柱どうしを連結部材によって連結して成る、ラックの側枠構造体に関するものである。
【背景技術】
【０００２】
ラックの側枠構造体は、棚板や荷支持用フレームなどの、荷を支持するための荷支持用部材の間口方向の両端を支持する部材として使用されるものであり、奥行き方向一対の支柱どうしを連結部材によって連結して成るものが知られている。この種の側枠構造体としては、例えば特許文献１に記載されるように、前記支柱が、互いに対面する内側が開放した横断面形状であって、前記連結部材の端部は、前記支柱の左右両側板部間に挿入された状態で、当該連結部材の端部と前記支柱の左右両側板部とを貫通する締結具により、前記支柱に取り付けられている。
【先行技術文献】
【特許文献】
【０００３】
【特許文献１】特開平１０−１８１８１８号公報
【発明の概要】
【発明が解決しようとする課題】
【０００４】
上記のような支柱構造では、奥行き方向一対の支柱どうしを連結する連結部材の取り付けのために、支柱の内側が開放状態のままであって、この開放端部から塵埃などの異物が支柱内に入り込んで付着堆積する恐れがあり、ラックの使用環境によっては、長期間の使用によって支柱内に入り込んで付着堆積した塵埃などの異物が、周囲の環境に悪影響を及ぼす懸念があった。尤も、角パイプ材など、閉断面構造の支柱を使用すれば、前記のような問題点は解消するが、連結部材の取付けには、支柱の外側面に連結部材の端面を溶接する方法や、連結部材の端面に溶接などで固着された取付け板を支柱の外側面にボルトなどで取り付ける方法によらなければならず、大巾なコストアップは免れない。
【課題を解決するための手段】
【０００５】
本発明は、上記のような従来の問題点を解消することの出来るラックの側枠構造体を提案するものであって、本発明に係るラックの側枠構造体は、後述する実施例との関係を理解し易くするために、当該実施例の説明において使用した参照符号を括弧付きで付して示すと、奥行き方向一対の支柱(3)どうしを連結部材(4,5)によって連結して成るラックの側枠構造体(1)であって、前記支柱(3)が、互いに対面する内側が開放した横断面形状であり、前記連結部材(4,5)の端部が前記支柱(3)の左右両側板部(7a)間に入り込んだ状態で締結具(19)により支柱(3)に取り付けられている、ラックの側枠構造体(1)において、前記支柱(3)の左右両側板部(7a)間に、この支柱(3)の開放端部(7)を塞ぐカバー(8)が取り付けられ、このカバー(8)は、前記連結部材(4,5)が前記支柱(3)の内部に入り込む連結部材入り込み領域(13)以外の領域において、この支柱(3)の左右両側板部(7a)間の開口端を塞ぐカバー本体(9)と、前記連結部材入り込み領域(13)を支柱(3)の内側から囲む凹窪カバー部(10)とで構成されている。
【発明の効果】
【０００６】
上記本発明の構成によれば、従来の開放断面の支柱をそのまま使用し、支柱に対する連結部材の取り付けにも、支柱内に差し込んだ連結部材の端部を横断貫通するボルトナットなどの締結具を使用する、従来の取付け構造をそのまま使用することが出来るものでありながら、支柱の内部空間は、前記カバー本体と凹窪カバー部とからなるカバーによって、支柱の全長にわたって確実に閉じることが出来る。従って、前記カバーを追加するためのコストはかかるが、支柱が開放断面のものである場合に懸念された問題点が完全に払拭され、しかも、支柱を閉断面構造体に代えると共に支柱に対する連結部材の取り付けに溶接を利用する、従来周知の解決手段と比較して、簡単且つ容易に実施することが出来、大巾なコストダウンを図ることが出来る。更に、本発明の構成によれば、支柱どうしを連結する連結部材の端部が支柱内に入り込む場所では、この連結部材の端部を避けるように支柱内部に凹窪カバー部が入り込んでいるが、それ以外の個所、即ち、支柱の全長の大部分では、カバー本体によって、支柱の左右両側板部間の開口端を塞いでいるので、支柱全体として見たとき、塵埃などの異物が入り込める個所は、前記凹窪カバー部内のみとなり、角パイプ材のような閉断面構造の支柱を使用している状況と殆ど変わりない防塵効果が得られる。
【０００７】
上記本発明を実施する場合、前記凹窪カバー部(10)は、支柱(3)の左右両側板部(7a)の内側に重なる左右両側板部(11a)と支柱(3)の内部に位置する底板部(11b)とからなる溝形カバー材(11)と、前記カバー本体(9)の端につながる仕切り板部(12)とから構成し、前記仕切り板部(12)が、前記溝形カバー材(11)内に入り込んで、当該溝形カバー材(11)内の支柱長さ方向の端部を塞ぐように構成することが出来る。この構成によれば、前記凹窪カバー部を、支柱の左右両側板部間の開口端側のみが開いた、箱形に構成する場合と比較して、凹窪カバー部の製造が簡単容易になり、本発明を安価に実施することが出来る。この場合、前記支柱(3)の左右両側板部(7a)に、その開放端側縁から左右外向きに張出し板部(7b)が折曲連設されているときは、前記カバー(8)の溝形カバー材(11)には、その左右両側板部(11a)の開放端側縁から、前記支柱(3)側の左右両張出し板部(7b)の外側に重なる張出し板部(11c)を折曲連設しておくのが望ましい。この構成によれば、カバーを支柱内に嵌入させて、カバー側の張出し板部を支柱側の張出し板部の外側に重ねるだけで、支柱に対するカバーの取付け位置が確定することになり、側枠構造体の組み立てが容易になる。
【０００８】
又、前記凹窪カバー部(10)は、前記連結部材入り込み領域(13)の支柱長さ方向の端部を塞ぐ仕切り板部(12)と、この仕切り板部(12)に連なる底板部(22)と、前記支柱(3)の左右両側板部(7a)とから構成することが出来る。即ち、凹窪カバー部の一部を、前記支柱の左右両側板部で兼用させて、全体の使用材料を節減することが出来る。この場合、前記支柱(3)が、巾の広い支柱本体部(6)と巾が狭まった開放端部(7)とから構成され、前記凹窪カバー部(10)の深さを深くするために、前記底板部(22)が、支柱(3)の前記支柱本体部(6)内に入り込むようなときは、当該底板部(22)の左右両側辺から、支柱(3)の前記開放端部(7)における左右両側板部(7a)の内側に達する左右両側板部(23)を連設することが出来る。
【０００９】
勿論、本発明を実施する場合、前記凹窪カバー部(10)は、支柱(3)の左右両側板部(7a)間に嵌まり込む有底箱形部材で構成することも可能である。この構成によれば、支柱の連結部材入り込み領域での支柱内に対する防塵効果を、簡単且つ確実に高めることが出来る。更に、前記カバー本体と前記凹窪カバー部とからなるカバーを、支柱の全長にわたって連続した１本のカバーとして構成することも可能であるが、当然、前記凹窪カバー部が配置される連結部材入り込み領域は、支柱の長さ方向の複数個所に存在するので、前記カバー本体(9)と前記凹窪カバー部(10)とは、当該凹窪カバー部(10)の支柱長さ方向両端の内の少なくとも一端において分割することが出来る。この構成によれば、長尺の１本のカバーを取り扱わなければならない場合と比較して、支柱への取付けなどの作業が容易に行える。
【図面の簡単な説明】
【００１０】
【図１】図１は、本発明を適用することが出来る側枠構造体を備えたラックの一例を示す斜視図である。
【図２】図２は、本発明の実施例における要部の縦断側面図である。
【図３】図３は、本発明の実施例における要部の縦断正面図である。
【図４】図４Ａは、連結部材取付け位置から離れた場所での支柱の横断平面図、図４Ｂは、連結部材取付け位置での支柱の横断平面図である。
【図５】図５は、支柱とカバーとを示す分解斜視図である。
【図６】図６は、本発明の第二の実施例における要部の縦断側面図である。
【図７】図７は、本発明の第二の実施例における要部の縦断正面図である。
【図８】図８Ａは、本発明の第二の実施例におけるカバーの斜視図、図８Ｂ及び図８Ｃは、それぞれ図８Ａに示すカバーの変形例を示す斜視図である。
【図９】図９Ａ及び図９Ｂは、それぞれカバーの変形例を示す斜視図である。
【発明を実施するための形態】
【００１１】
図１に示すラックは、左右一対の側枠構造体１間に、上下複数段の棚用枠組み構造体２を架設したものである。側枠構造体１は、奥行き方向一対の支柱３間に、上下両端の水平連結部材４と、中間の斜め連結部材５とを架設して、一体化したものである。棚用枠組み構造体２としては、左右一対の側枠構造体１の手前側支柱３間と奥側支柱３間とに架設される前後一対の主ビーム材２ａと、この前後一対の主ビーム材２ａどうしを繋ぐ、間口方向適当間隔おきに架設された副ビーム材２ｂとによって構成されたものを示しているが、従来周知の各種構造のものが使用出来る。例えば、左右横方向に隣り合う２つの側枠構造体１間に１つの荷を支持するタイプのラックの場合は、左右横方向に隣り合う２つの側枠構造体１から同一高さでそれぞれ荷支持部材を片持ち状に突設される。このようなラックの場合は、荷支持部材とは別に、左右横方向に隣り合う２つの側枠構造体どうしを連結する連結部材が併用される。
【００１２】
以下、本発明が適用実施された側枠構造体１を、図２〜図５に基づいて説明すると、支柱３は、一枚の帯状板材から一体成形された、全長にわたって同一横断面形状のものであって、その横断面形状において、巾の広い支柱本体部６と、巾が狭まった開放端部７とから構成されている。支柱本体部６は、左右巾方向の中央位置にＶ字形に窪む凹溝部６ａを備えた正面板部６ｂと、この正面板部６ｂの左右両側辺につながる、互いに平行な左右両側板部６ｃ、及びこの左右両側板部６ｃから斜め内側に連なる、横断面形状が先窄まり状の左右両傾斜側板部６ｄから構成されている。開放端部７は、支柱本体部６の左右両傾斜側板部６ｄにつながる、互いに平行な左右両側板部７ａと、この左右両側板部７ａから外向き直角につながる左右両張出し板部７ｂとから構成されている。
【００１３】
支柱３には、当該支柱３と同一の全長を有するカバー８が組み込まれている。このカバー８は、帯板状のカバー本体９と凹窪カバー部１０とから構成されている。カバー本体９は、支柱３の開放端部７における左右両張出し板部７ｂの外側面に重ねられる左右両側部９ａを備えた、扁平な帯板材から構成されている。凹窪カバー部１０は、溝形カバー材１１と、この溝形カバー材１１内に嵌合する仕切り板部１２とから構成されたものである。溝形カバー材１１は、支柱３の開放端部７における左右両側板部７ａの内側に重なる左右両側板部１１ａと、支柱３の内部に位置する底板部１１ｂ、及び支柱３の開放端部７における左右両張出し板部７ｂの外側面に重ねられる左右両張出し板部１１ｃからなる、横断面がリップ付きのコ字形のものである。前記仕切り板部１２は、前記カバー本体９の長さ方向の端辺から、溝形カバー材１１内の長さ方向の中央位置側に向かって、斜めに折曲連設されたもので、前記溝形カバー材１１の左右両側板部１１ａ間に丁度嵌合できる巾で且つ前記溝形カバー材１１の底板部１１ｂ上に当接し得る長さを有する矩形板状のものである。
【００１４】
前記カバー８の溝形カバー材１１は、連結部材４，５の端部が取り付けられる支柱３の長さ方向の複数個所、即ち、支柱３の長さ方向複数個所の連結部材入り込み領域１３を支柱３の内部側からカバーするように配置され、カバー本体９は、溝形カバー材１１でカバーされない支柱３の開放端部、即ち、支柱３の開放端部７における左右両側板部７ａ間を閉じるように配置される。従って、カバー本体９、仕切り板部１２、及び溝形カバー材１１の底板部１１ｂが支柱３の長さ方向に連続すると共に、且つ溝形カバー材１１の底板部１１ｂの内側の空間、即ち、連結部材入り込み領域１３の左右両側が、溝形カバー材１１の左右両側板部１１ａで塞がれた状態になる。而して、これらカバー本体９と溝形カバー材１１は、それぞれが備えている左右両側部９ａ及び左右両張出し板部１１ｃを、支柱３の開放端部７における左右両張出し板部７ｂにタッピングビスなどの止着具１４によって止着することにより取り付けることが出来るが、図示のように、溝形カバー材１１の取付けに関しては、その左右両張出し板部１１ｃの端部と、この上に重なるカバー本体９の左右両側部９ａの端部とを、共通の止着具１４により支柱３の左右両張出し板部７ｂに止着することが出来る。
【００１５】
前記凹窪カバー部１０の溝形カバー材１１が配置される連結部材入り込み領域１３の内、図２及び図３に示すように、支柱３の上下両端に接近して取り付けられる水平連結部材４の端部（斜め連結部材５の端部との交差端部を含む）が入り込む連結部材入り込み領域１３Ａは、支柱３の上下両端に接近しているため、この連結部材入り込み領域１３Ａに配置される凹窪カバー部１０Ａの溝形カバー材１１に対しては、片側にのみカバー本体９を接続することが出来る。この場合には、凹窪カバー部１０Ａの溝形カバー材１１として、その一端が支柱３の端部と一致する長さに構成した溝形カバー材１１を使用することが出来る。勿論、前記連結部材入り込み領域１３Ａが支柱３の端部から離れているときは、当該連結部材入り込み領域１３Ａに配置される溝形カバー材１１と支柱３の端部との間に、仕切り板部１２を備えた、長さの短いカバー本体９を配設することが出来る。何れの場合も、支柱３の内部空間が当該支柱３の上端で開放されるのを防止するために、支柱３の上端には、必要に応じてキャップ１５を被せることが出来る。
【００１６】
尚、水平連結部材４及び斜め連結部材５の両端は、開放端部７が互いに対面する向きで配置された奥行き方向一対の支柱３に連結されるが、この実施例におけるこれら各連結部材４，５は、支柱３における開放端部７の左右両側板部７ａ間の内巾の３／４弱程度の巾を有するもので、下側板部の巾の中央に、この連結部材４，５の巾の１／３強程度の巾のスリット１６が全長にわたって形成された、角形のリップ付きＣ型鋼状のものが使用されている。そしてこれら各連結部材４，５の両端部の上側板部には、その巾の１／３強程度の巾の切込み１７が、端辺から各連結部材４，５の長さ方向に沿って、巾の中央位置に形成されている。従って、水平連結部材４の端部と斜め連結部材５の端部との交差部、及び上下の斜め連結部材５の端部どうしの交差部では、図３及び図４Ｂに示す斜め連結部材５の端部どうしの交差部１８で例示するように、各連結部材４，５のスリット１６と切込み１７とを利用して、各連結部材４，５の端部どうしを互いに噛み合わせて、当該連結部材端部どうしの交差部の全体の巾を、支柱３の開放端部７における左右両側板部７ａ間に、適度の余裕をもって嵌め込める巾としている。具体的には、カバー８の溝形カバー材１１が厚さ0.4mmの薄板材で構成されているとして、支柱３の開放端部７における左右両側板部７ａ間の内巾から、溝形カバー材１１の左右両側板部１１ａの板厚合計の0.8mmを除算した寸法より、前記連結部材端部どうしの交差部の全体の巾を若干狭めている。
【００１７】
上記のように、水平連結部材４の単独端部、水平連結部材４の端部と斜め連結部材５の端部との交差部、及び斜め連結部材５の端部どうしの交差部は、支柱３の開放端部７における左右両側板部７ａと、各連結部材４，５の端部を水平に貫通するボルトナットなどの締結具１９により、支柱３の開放端部７における左右両側板部７ａ間に取り付けられるものであるから、支柱３の各連結部材入り込み領域１３，１３Ａの左右両側、即ち、開放端部７における左右両側板部７ａと、凹窪カバー部１０，１０Ａの溝形カバー材１１における左右両側板部１１ａには、図５に示すように、前記締結具１９を挿通させるための貫通孔２０，２１が予め穿設されている。従って、支柱３にカバー８を取り付けるときは、支柱３側の前記貫通孔２０と、溝形カバー材１１側の貫通孔２１とが合致するように、溝形カバー材１１を、支柱３の開放端部７における左右両側板部７ａ間に嵌め込むと共に、上下に隣り合う溝形カバー材１１間で支柱３にカバー本体９を取り付けることにより、各連結部材入り込み領域１３，１３Ａが、溝形カバー材１１と、その内側に嵌合するカバー本体９側の仕切り板部１２とで形成された凹窪カバー部１０，１０Ａによって内側から囲まれた状態で、支柱３の内側の開放端がカバー８で塞がれた状態になる。
【００１８】
水平連結部材４の単独端部、又は連結部材の端部どうしの交差部は、対応する位置にある連結部材入り込み領域１３，１３Ａの凹窪カバー部１０，１０Ａ内に嵌め込んだ状態で、支柱３の開放端部７における左右両側板部７ａ間を水平に貫通するボルトナットなどの締結具１９により、支柱３に結合され、側枠構造体１が組み立てられている。尚、連結部材の端部どうしの交差部を支柱３に連結する締結具１９は、十分に締め付けて、連結部材の端部どうしの交差部を支柱３に強固に固定することが出来るが、水平連結部材４の単独端部は、図３に示すように、支柱３に嵌め込まれているカバー８の溝形カバー材１１における左右両側板部１１ａ間の内巾より１／４程度、巾が狭いので、この水平連結部材４の単独端部を支柱３に連結する締結具１９には、当該水平連結部材４の単独端部と溝形カバー材１１の片側の側板部１１ａとの間の隙間を埋めるスペーサーを併用するのが望ましい。
【００１９】
次に、本発明の他の実施例について説明すると、図６〜図８Ａに示す実施例は、前記実施例において使用した溝形カバー材１１を無くし、凹窪カバー部１０を、カバー本体９の端辺から折曲連設された仕切り板部１２の先端辺から、溝形カバー材１１の底板部１１ｂの代わりになる底板材２２を連設し、この底板材２２の左右両側辺から左右両側板部２３を折曲連設したものであって、仕切り板部１２、底板材２２、及び左右両側板部２３によって凹窪カバー部１０，１０Ａを構成している。左右両側板部２３は、連結部材入り込み領域１３，１３Ａが、支柱３の開放端部７から巾の広い支柱本体部６内に入り込むほどに深さが深い場合に必要なもので、支柱３の開放端部７における左右両側板部７ａと、底板材２２及び仕切り板部１２との間に生じる、支柱３の支柱本体部６内に通じる、高さの低い逆台形状の隙間を防ぐためのものであるから、当該左右両側板部７ａの内側に少し重なる程度の高さがあれば良く、凹窪カバー部１０，１０Ａの左右両側板部を、底板材２２から折曲連設した左右両側板部２３と、元々支柱３が備えている左右両側板部７ａとで形成することが出来る。この場合には、凹窪カバー部１０，１０Ａに締結具１９を挿通させるために必要であった貫通孔２１は無くなる。
【００２０】
上記実施例の構成によれば、カバー本体９、仕切り板部１２、底板材２２、仕切り板部１２、そして次のカバー本体９というように、支柱３の長さ方向に連続させることが出来るので、連結部材入り込み領域１３，１３Ａをカバーする凹窪カバー部１０，１０Ａを備えたカバー８を、１枚の長尺帯状板に対する切込みと折曲加工とにより、容易に一体成型することが出来る。勿論、カバー８を支柱３の全長にわたって連続一体のものにする必要はなく、適当な箇所で分割することが出来る。図８Ｂは、凹窪カバー部１０の片側に位置する仕切り板部１２とこれに続くカバー本体９との間で、カバー８を分割した実施例を示している。この実施例では、カバー本体９と切り離された仕切り板部１２の上端辺から、当該カバー本体９の長さ方向の端部と重なる接続板部１２ａを折曲連設し、この接続板部１２ａとカバー本体９の端部とを重ねて、両者を共通の止着具１４（図７参照）で支柱３の開放端部７における左右両張出し板部７ｂ上に止着出来るように構成している。更に、図８Ｃに示すように、底板材２２とこの両端につながる上下一対の仕切り板部１２、及び左右両側板部２３から構成される凹窪カバー部１０を、その上下につながるカバー本体９から切り離して一部品に構成することも出来る。この場合は、上下一対の仕切り板部１２の上端辺からそれぞれ接続板部１２ａが連設される。これらのように、凹窪カバー部１０とカバー本体９とを切り離して構成する場合、図８Ｂ及び図８Ｃに示すように、凹窪カバー部１０側の仕切り板部１２に連設した接続板部１２ａの外側にカバー本体９の端部が重なるように接続させても良いし、図９に例示するように、カバー本体９の端部の外側に接続板部１２ａを重ねて接続させても良い。
【００２１】
図９Ａに示す実施例では、凹窪カバー部１０を構成する仕切り板部１２を、底板材２２から直角に折曲連設している。又、図９Ｂに示す実施例では、有底箱形部材によって凹窪カバー部１０を構成している。具体的には、凹窪カバー部１０を構成する左右両側板部２３を、カバー本体９と同一高さに達する高さとしている。勿論、この図９Ｂに示す実施例の有底箱形部材によって構成された凹窪カバー部１０の仕切り板部１２を、先の実施例で示すように、斜め外広がりに傾斜させても良い。尚、図８Ａ〜図９Ｂには、凹窪カバー部１０の上下両端板両側にカバー本体９がつながる、連結部材入り込み領域１３に対応した構成を示しているが、連結部材入り込み領域１３Ａに対応した凹窪カバー部１０Ａとして実施することも出来る。又、各実施例の凹窪カバー部１０，１０Ａは、カバー本体９から切り離して、若しくはカバー本体９と一体に、一枚の薄板材を深絞り加工して、継ぎ目のない構造とすることも出来る。
【産業上の利用可能性】
【００２２】
本発明のラックの側枠構造体は、この側枠構造体を構成する支柱に開放断面のものを使用しながら、当該支柱の内部に塵埃などの異物が侵入堆積するのを予防出来る側枠構造体として、活用出来る。
【符号の説明】
【００２３】
１    側枠構造体
２    棚用枠組み構造体
３    支柱
４    水平連結部材
５    斜め連結部材
６    支柱の支柱本体部
６ｂ    正面板部
６ｃ，７ａ，１１ａ，２３    左右両側板部
６ｄ    左右両傾斜側板部
７    支柱の開放端部
７ｂ，１１ｃ    左右両張出し板部
８    カバー
９    カバー本体
９ａ    左右両側部
１０，１０Ａ    凹窪カバー部
１１    溝形カバー材
１１ｂ，２２    底板部
１２    仕切り板部
１２ａ    接続板部
１３，１３Ａ    連結部材入り込み領域
１４    タッピングビスなどの止着具
１５    キャップ
１９    ボルトナットなどの締結具
２０，２１    貫通孔
【図１】
2018050661.tif 000003
【図２】
2018050661.tif 000004
【図３】
2018050661.tif 000005
【図４】
2018050661.tif 000006
【図５】
2018050661.tif 000007
【図６】
2018050661.tif 000008
【図７】
2018050661.tif 000009
【図８】
2018050661.tif 000010
【図９】
2018050661.tif 000011